(57)【要約】【課題】階間胴差部の横目地の施工を省力化でき、しかも、階間胴差部の外観をスッキリとしたものにできる、階間胴差部化粧面材の取付け構造を提供する。【解決手段】階間胴差部化粧面材３の背面側に取付け用の金物７が備えられ、金物７は、上方突出部分７ａと下方突出部分７ｂとを有する。階間胴差部化粧面材３は、金物７の上方突出部分７ａが階上外壁面材１の背後に差し込まれ、下方突出部分７ｂが階間胴差部化粧面材３と階下外壁面材２との間の横目地に面する位置で背後部分にビス止め９されることで取り付けられ、その取付け状態で、階間胴差部化粧面材３の上端面部と階上外壁面材１の下端面とは突き合わせ状態になっており、階間胴差部化粧面材３と階下外壁面材２との間の横目地には目地材１１が設けられている。【選択図】      図１
2005256510.tif 000002
【特許請求の範囲】
【請求項１】
階上外壁面材と階下外壁面材との間に階間胴差部化粧面材を取り付ける取付け構造であって、
階間胴差部化粧面材はその背面側に取付け用の金物を備え、
該金物は、階間胴差部化粧面材の上端部よりも上方に突出する部分と、階間胴差部化粧面材の下端部よりも下方に突出する部分とを有し、
階間胴差部化粧面材は、金物の上方突出部分が、階上外壁面材の背後に差し込まれると共に、下方突出部分が、階間胴差部化粧面材と階下外壁面材との間の横目地に面する位置で背後部分にビス止めされることで取り付けられ、
その取付け状態で、階間胴差部化粧面材の上端面部と階上外壁面材の下端面とは突き合わせ状態になっており、階間胴差部化粧面材と階下外壁面材との間の横目地には目地材が設けられていることを特徴とする階間胴差部化粧面材の取付け構造。
【請求項２】
階間胴差部化粧面材を階上外壁面材と階下外壁面材との間に取り付ける取付け金物であって、
階間胴差部化粧面材背面側への取付け部と、該取付け状態において階間胴差部化粧面材の上端部よりも上方に突出する部分と、同取付け状態において階間胴差部化粧面材の下端部よりも下方に突出する部分とを有し、
上方に突出する部分を階上外壁面材の背後に差し込まれる部分とし、下方に突出する部分を階間胴差部化粧面材と階下外壁面材との間の横目地を通じて背後部分にビス止めされる部分としていることを特徴とする取付け金物。
【請求項３】
階上外壁面材と階下外壁面材との間に階間胴差部化粧面材を取り付ける取付け構造であって、
階間胴差部化粧面材が階上外壁面材に合決で嵌合されるようになされていると共に、
階間胴差部化粧面材の背面側には取付け用の金物が備えられ、該金物は、階間胴差部化粧面材の下端部よりも下方に突出する部分を有し、
階間胴差部化粧面材は、その上縁部が階上外壁面材に合決で嵌合されると共に、前記金物の下方突出部分が、階間胴差部化粧面材と階下外壁面材との間の横目地に面する位置で背後部分にビス止めされることで取り付けられ、
その取付け状態で、階間胴差部化粧面材と階下外壁面材との間の横目地には目地材が設けられていることを特徴とする階間胴差部化粧面材の取付け構造。
【発明の詳細な説明】
【技術分野】
【０００１】
本発明は、階間胴差部化粧面材の取付け構造に関する。
【背景技術】
【０００２】
上外壁面材と階下外壁面材との間に階間胴差部化粧面材を取り付ける構造を採用する建物では、階間胴差部化粧面材の取付け後、階間胴差部化粧面材と階上外壁面材との間の横目地、及び、階間胴差部化粧面材と階下外壁面材との間の横目地のそれぞれに、目地材を設けて仕上げることが行われている。
【発明の開示】
【発明が解決しようとする課題】
【０００３】
しかしながら、階間胴差部化粧面材を挟む上下の横目地のいずれにも目地材を設ける構造では、施工が厄介であると共に、階間部の２本の横目地が建物の外観体裁を悪くしてしまうことも、ときとして起こりうる。止水が他に依存していて、目地材が主として目地を隠すために用いられている場合には特に、そのようなことが問題となりやすい。
【０００４】
本発明は、上記のような問題点に鑑み、階間胴差部の横目地の施工を省力化することができ、しかも、階間胴差部の外観をスッキリとしたものにすることができる、階間胴差部化粧面材の取付け構造を提供することを課題とする。
【課題を解決するための手段】
【０００５】
上記の課題は、階上外壁面材と階下外壁面材との間に階間胴差部化粧面材を取り付ける取付け構造であって、
階間胴差部化粧面材はその背面側に取付け用の金物を備え、
該金物は、階間胴差部化粧面材の上端部よりも上方に突出する部分と、階間胴差部化粧面材の下端部よりも下方に突出する部分とを有し、
階間胴差部化粧面材は、金物の上方突出部分が、階上外壁面材の背後に差し込まれると共に、下方突出部分が、階間胴差部化粧面材と階下外壁面材との間の横目地に面する位置で背後部分にビス止めされることで取り付けられ、
その取付け状態で、階間胴差部化粧面材の上端面部と階上外壁面材の下端面とは突き合わせ状態になっており、階間胴差部化粧面材と階下外壁面材との間の横目地には目地材が設けられていることを特徴とする階間胴差部化粧面材の取付け構造によって解決される。
【０００６】
この構造では、階間胴差部化粧面材の上端面部と階上外壁面材の下端面とが突き合わせ状態になっているので、階上外壁面材と階間胴差部化粧面材との間の横目地が目立たず、そのため、その部分については目地材での仕上げを必要とせず、横目地の仕上げは、階下外壁面材と階間胴差部化粧面材との間の横目地に対してのみ行えばよく、階間胴差部の横目地の施工を省力化することができる。しかも、階間胴差部化粧面材の上端面部と階上外壁面材の下端面との横目地が目立たないことで、階間胴差部の外観をスッキリとしたものにすることができる。
【０００７】
加えて、上記のような取付け金物を使用することで、階間胴差部化粧面材の上端面部と、階上外壁面材の下端面とが平坦であっても、階間胴差部化粧面材を、上記のような取付け状態に容易に取り付けることができる。
【０００８】
また、上記の課題は、階上外壁面材と階下外壁面材との間に階間胴差部化粧面材を取り付ける取付け構造であって、
階間胴差部化粧面材が階上外壁面材に合決（あいじゃくり）で嵌合されるようになされていると共に、
階間胴差部化粧面材の背面側には取付け用の金物が備えられ、該金物は、階間胴差部化粧面材の下端部よりも下方に突出する部分を有し、
階間胴差部化粧面材は、その上縁部が階上外壁面材に合決で嵌合されると共に、前記金物の下方突出部分が、階間胴差部化粧面材と階下外壁面材との間の横目地に面する位置で背後部分にビス止めされることで取り付けられ、
その取付け状態で、階間胴差部化粧面材と階下外壁面材との間の横目地には目地材が設けられていることを特徴とする階間胴差部化粧面材の取付け構造によって解決される。
【０００９】
この構造でも、階間胴差部化粧面材の上縁部と階上外壁面材の下縁部とが合決で嵌合されているので、階上外壁面材と階間胴差部化粧面材との間の横目地が目立たず、そのため、その部分については目地材での仕上げを必要とせず、横目地の仕上げは、階下外壁面材と階間胴差部化粧面材との間の横目地に対してのみ行えばよく、階間胴差部の横目地の施工を省力化することができる。しかも、階間胴差部化粧面材の上縁部と階上外壁面材の下縁部との横目地が目立たないことで、階間胴差部の外観をスッキリとしたものにすることができる。
【００１０】
加えて、階間胴差部化粧面材の上縁部と階上外壁面材の下縁部とが合決で嵌合される構造となっていることで、取付け金物を、上方突出部分の省略された簡素な構造にすることができる。
【発明の効果】
【００１１】
本発明は、以上のとおりのものであるから、階間胴差部の横目地の施工を省力化することができ、しかも、階間胴差部の外観をスッキリとしたものにすることができる。
【発明を実施するための最良の形態】
【００１２】
次に、本発明の実施最良形態を図面に基づいて説明する。
【００１３】
図１及び図２に示す第１実施形態の構造において、１は階上外壁面材、２は階下外壁面材、３は階間胴差部化粧面材であり、いずれも窯業系面材などからなっている。そして、階上階下の各外壁面材１，２の背後には、発泡樹脂断熱材４，４が備えられると共に、該発泡樹脂断熱材４，４と外壁面材１，２との間には、該発泡樹脂断熱材に一体成形された縦胴縁４ａ…によって、上下方向に延びる通気部５…が形成され、階間胴差部には、階間胴差部止水板６が、階上の発泡樹脂断熱材４の背面側から階下の発泡樹脂断熱材４の正面側に延ばされるように設置されることで、階間胴差部化粧面材３と、階上階下の外壁面材１，２との間の横目地を通じて屋内側に侵入した水が、通気部５，５を通じて下方に流れ去ることができるようになされている。
【００１４】
上記のような構造を備える階間部胴差部に対し、階間胴差部化粧面材３は、次のような構造で取り付けられている。即ち、階間胴差部化粧面材３は、その上下の両端部が平坦面に形成されていて、背面側には、取付け用の金物７が一体的に取り付けられており、該金物７は、階間胴差部化粧面材３の上端部よりも上方に突出する部分７ａと、階間胴差部化粧面材３の下端部よりも下方に突出する部分７ｂとを有している。
【００１５】
そして、階間胴差部化粧面材３は、図３（イ）（ロ）に示すように、金物７の上方突出部分７ａが、階上外壁面材１とその背後の発泡樹脂断熱材４との間の通気部５に下から差し込まれて、図３（ハ）に示すように、上端平坦面が階上外壁面材１の下端平坦面に対して突き合わせ状態にされると共に、金物７の下方突出部分７ｂが、階下外壁面材２のすぐ背後の縦胴縁４ａに沿わされ、そして、金物７の下方突出部分７ｂが、屋外側から、階間胴差部化粧面材３と階下外壁面材２との間の横目地空間部８を通じて、ビス９で、背後部分である縦胴縁４ａ、あるいは、縦胴縁４ａの背後のパネルフレーム１０に止め付けられて、階間胴差部に取り付けられている。
【００１６】
なお、図２（ロ）に示すように、取付け金物７において、上方突出部分７ａと下方突出部分７ｂとが側方に偏心して備えられているのは、上記のように、上方突出部分７ａが階上の通気部５に差し込まれ、下方突出部分７ｂが階下の通気部５，５間の縦胴縁４ａにビス止めされることによるものである。
【００１７】
そして、階間胴差部化粧面材３と階下外壁面材２との間の横目地は、目地材１１で隠されている。目地材１１は、アルミ押出形材などによる目地カバーであってもよいし、ボーダー材であってもよいし、ガスケットであってもよいし、湿式シーリング材であってもよいし、特に制限はない。
【００１８】
上記の取付け構造では、階間胴差部化粧面材３の上端面部と階上外壁面材１の下端面とが突き合わせ状態になっているので、階上外壁面材１と階間胴差部化粧面材３との間の横目地が目立たず、そのため、その部分については目地材での仕上げを必要とせず、横目地の仕上げは、階下外壁面材２と階間胴差部化粧面材３との間の横目地に対してのみ行えばよく、階間胴差部の横目地の施工を省力化することができる。しかも、階間胴差部化粧面材３と階上外壁面材１との横目地が目立たないことで、階間胴差部の外観をスッキリとしたものにすることができる。加えて、上記のような取付け金物７を使用することで、階間胴差部化粧面材３の上端面部と、階上外壁面材１の下端面とが上記のように平坦面であっても、階間胴差部化粧面材３を、上記のような取付け状態に容易に取り付けることができる。
【００１９】
図４に示す第２実施形態の取付け構造は、階間胴差部化粧面材３の上縁部が階上外壁面材１に対して合決で嵌合されるように構成されているもので、取付け金物７からは、上方突出部分が省略され、下方突出部分７ｂのみ備えられている。階間胴差部化粧面材３の取付けは、第１実施形態についての図３に示すのと同じ要領で行われる。
【００２０】
この取付け構造においても、階間胴差部化粧面材３の上縁部と階上外壁面材１の下縁部とが合決で嵌合されているので、階上外壁面材１と階間胴差部化粧面材３との間の横目地が目立たず、そのため、その部分については目地材での仕上げを必要とせず、横目地の仕上げは、階下外壁面材２と階間胴差部化粧面材３との間の横目地に対してのみ行えばよく、階間胴差部の横目地の施工を省力化することができる。しかも、階間胴差部化粧面材３の上縁部と階上外壁面材１の下縁部との横目地が目立たないことで、階間胴差部の外観をスッキリとしたものにすることができる。加えて、階間胴差部化粧面材３の上縁部と階上外壁面材１の下縁部とが合決で嵌合されることにより、取付け金物７を、上方突出部分の省略された簡素な構造にすることができる。
【００２１】
以上に、本発明の実施形態を示したが、本発明はこれに限られるものではなく、発明思想を逸脱しない範囲で各種の変更が可能である。例えば、上記の実施形態では、階上階下の外壁面材１，２背後に備えられている発泡樹脂断熱材４，４と階間胴差部の止水板６とで止水状態が確保されるようになされているが、その他の止水構造によって止水状態が確保されていてもよい。
【００２２】
また、本発明では、階間胴差部化粧面材３は、階上階下の外壁面材１，２と同種の面材からなるものであってもよいし、異種の面材からなるものであってもよい。異種の面材からなる場合であっても、階上外壁面材１と階間胴差部化粧面材３との間の横目地を目立たせず、階間胴差部の外観をスッキリとしたものにすることができる。
【００２３】
更に、本発明の技術的範囲には、次の二つの取付け構造も含まれる。
【００２４】
一つは、階上外壁面材と階下外壁面材との間に階間胴差部化粧面材を取り付ける取付け構造であって、
階間胴差部化粧面材はその背面側に取付け用の金物を備え、
該金物は、階間胴差部化粧面材の上端部よりも上方に突出する部分と、階間胴差部化粧面材の下端部よりも下方に突出する部分とを有し、
階間胴差部化粧面材は、金物の下方突出部分が、階下外壁面材の背後に差し込まれると共に、上方突出部分が、階間胴差部化粧面材と階上外壁面材との間の横目地に面する位置で背後部分にビス止めされることで取り付けられ、
その取付け状態で、階間胴差部化粧面材の下端面部と階下外壁面材の上端面とは突き合わせ状態になっており、階間胴差部化粧面材と階上外壁面材との間の横目地には目地材が設けられている階間胴差部化粧面材の取付け構造である。
【００２５】
もう一つは、階上外壁面材と階下外壁面材との間に階間胴差部化粧面材を取り付ける取付け構造であって、
階間胴差部化粧面材が階下外壁面材に合決で嵌合されるようになされていると共に、
階間胴差部化粧面材の背面側には取付け用の金物が備えられ、該金物は、階間胴差部化粧面材の上端部よりも上方に突出する部分を有し、
階間胴差部化粧面材は、その下縁部が階下外壁面材に合決で嵌合されると共に、前記金物の上方突出部分が、階間胴差部化粧面材と階上外壁面材との間の横目地に面する位置で背後部分にビス止めされることで取り付けられ、
その取付け状態で、階間胴差部化粧面材と階上外壁面材との間の横目地には目地材が設けられている階間胴差部化粧面材の取付け構造である。
【図面の簡単な説明】
【００２６】
【図１】図（イ）は第１実施形態の取付け構造を、階間胴差部化粧面材を分離状態にして示す断面斜視図、図（ロ）は階間胴差部化粧面材を下から見た斜視図である。
【図２】図（イ）は同取付け構造の断面側面図、図（ロ）は取付け金物の斜視図である。
【図３】図（イ）〜図（ハ）は階間胴差部化粧面材の取付け方法を順次に示す断面側面図である。
【図４】第２実施形態の取付け構造を示す断面側面図である。
【符号の説明】
【００２７】
１…階上外壁面材
２…階下外壁面材
３…階間胴差部化粧面材
７…取付け金物
７ａ…上方突出部分
７ｂ…下方突出部分
８…横目地空間部
９…ビス
１１…目地材
【図１】
2005256510.tif 000003
【図２】
2005256510.tif 000004
【図３】
2005256510.tif 000005
【図４】
2005256510.tif 000006